(57)【要約】【課題】最下位置と最上位置の間の中間の位置においても吊り棚が停止可能である吊り棚ユニットを提供する。【解決手段】吊り棚１１０を天袋１０１に対して上下動自在に支持する第一部材１２０及び第二部材１３０のうち、第二部材１３０をラチェット１４０を介して天袋１０１に取り付ける。これにより、吊り棚１１０はその最上位置と最下位置との間の任意の中間位置において停止することができる。【選択図】図１
0003119265.tif 000002
【実用新案登録請求の範囲】
【請求項１】
天袋の下方に取り付けられ、上下方向に上下動可能な吊り棚を備える吊り棚ユニットであって、
前記吊り棚ユニットは、吊り棚と、第一部材と、第二部材と、支持部材と、からなり、
前記支持部材は前記天袋の下面に取り付けられ、前後方向に延びる相互に平行な一対のプレートを備え、
前記支持部材には前後方向に延びる第一のスリットが形成されており、
前記吊り棚の側面には前後方向に延びる第二のスリットが形成されており、
前記第一部材は、その一端において、前記第一のスリットの内部を摺動自在に移動し得るように前記支持部材に取り付けられ、その他端において、前記吊り棚に対して回動自在であるように前記吊り棚に取り付けられ、
前記第二部材は、その一端において、前記第二のスリットの内部を摺動自在に移動し得るように前記吊り棚に取り付けられ、その他端において、前記支持部材に対して回動自在であるように前記支持部材に取り付けられている吊り棚ユニットにおいて、
前記吊り棚ユニットはさらにラチェットを備え、
前記第二部材は前記他端において前記ラチェットを介して前記支持部材に取り付けられており、
前記ラチェットは、前記吊り棚が降下する場合には、前記第二部材の回動を前記他端において停止させ、前記吊り棚が上昇する場合には、前記第二部材の回動を停止させないものであることを特徴とする吊り棚ユニット。
【請求項２】
天袋の下方に取り付けられ、上下方向に上下動可能な吊り棚を備える吊り棚ユニットであって、
前記吊り棚ユニットは、吊り棚と、第一部材と、第二部材と、からなり、
前記天袋には前後方向に延びる第一のスリットが形成されており、
前記吊り棚の側面には前後方向に延びる第二のスリットが形成されており、
前記第一部材は、その一端において、前記第一のスリットの内部を摺動自在に移動し得るように前記天袋に取り付けられ、その他端において、前記吊り棚に対して回動自在であるように前記吊り棚に取り付けられ、
前記第二部材は、その一端において、前記第二のスリットの内部を摺動自在に移動し得るように前記吊り棚に取り付けられ、その他端において、前記天袋に対して回動自在であるように前記天袋に取り付けられている吊り棚ユニットにおいて、
前記吊り棚ユニットはさらにラチェットを備え、
前記第二部材は前記他端において前記ラチェットを介して前記天袋に取り付けられており、
前記ラチェットは、前記吊り棚が降下する場合には、前記第二部材の回動を前記他端において停止させ、前記吊り棚が上昇する場合には、前記第二部材の回動を停止させないものであることを特徴とする吊り棚ユニット。
【請求項３】
天袋の下方に取り付けられ、上下方向に上下動可能な吊り棚を備える吊り棚ユニットであって、
前記吊り棚ユニットは、吊り棚と、第一部材と、第二部材と、支持部材と、からなり、
前記支持部材は前記天袋の下面に取り付けられ、前後方向に延びる相互に平行な一対のプレートを備え、
前記支持部材には前後方向に延びる第一のスリットが形成されており、
前記吊り棚の側面には前後方向に延びる第二のスリットが形成されており、
前記第一部材は、その一端において、前記第一のスリットの内部を摺動自在に移動し得るように前記支持部材に取り付けられ、その他端において、前記吊り棚に対して回動自在であるように前記吊り棚に取り付けられ、
前記第二部材は、その一端において、前記第二のスリットの内部を摺動自在に移動し得るように前記吊り棚に取り付けられ、その他端において、前記支持部材に対して回動自在であるように前記支持部材に取り付けられている吊り棚ユニットにおいて、
前記吊り棚ユニットはさらにダンパーを備え、
前記第二部材は前記他端において前記ダンパーを介して前記支持部材に取り付けられていることを特徴とする吊り棚ユニット。
【請求項４】
天袋の下方に取り付けられ、上下方向に上下動可能な吊り棚を備える吊り棚ユニットであって、
前記吊り棚ユニットは、吊り棚と、第一部材と、第二部材と、からなり、
前記天袋には前後方向に延びる第一のスリットが形成されており、
前記吊り棚の側面には前後方向に延びる第二のスリットが形成されており、
前記第一部材は、その一端において、前記第一のスリットの内部を摺動自在に移動し得るように前記天袋に取り付けられ、その他端において、前記吊り棚に対して回動自在であるように前記吊り棚に取り付けられ、
前記第二部材は、その一端において、前記第二のスリットの内部を摺動自在に移動し得るように前記吊り棚に取り付けられ、その他端において、前記天袋に対して回動自在であるように前記天袋に取り付けられている吊り棚ユニットにおいて、
前記吊り棚ユニットはさらにダンパーを備え、
前記第二部材は前記他端において前記ダンパーを介して前記天袋に取り付けられていることを特徴とする吊り棚ユニット。
【請求項５】
前記第一部材は、前記一端が、前記吊り棚がその最下位置にあるときに、前記第一のスリットの前端に位置するように配置され、かつ、前記第二部材は、前記一端が、前記吊り棚がその最下位置にあるときに、前記第二のスリットの前端に位置するように配置され、
前記第一部材の前記他端には前記吊り棚の斜め後方に延びる延長部が形成されており、
前記延長部には前記吊り棚の長さ方向に延びる把っ手が支持されていることを特徴とする請求項１乃至４の何れか一項に記載の吊り棚ユニット。
【考案の詳細な説明】
【技術分野】
【０００１】
本考案は台所の天袋の下方に取り付ける吊り棚を備える吊り棚ユニットに関する。
【背景技術】
【０００２】
従来の吊り棚ユニットの一例として、実開昭６２−１７５７４８号公報に記載されている吊り棚ユニットを図５及び図６に示す。図５は吊り棚を最下位置まで降下させた場合の側面図、図６は吊り棚を最上位置まで上昇させた場合の側面図である。
【０００３】
台所の流しの上方には天袋１が取り付けられており、天袋１の下面の前縁には前板３が取り付けられ、さらに、天袋１の下面の両側には前後方向に延びる取り付け板４が取り付けられている。取り付け板４には、前後方向に延びるスリット８が形成されている。
【０００４】
吊り棚２は、その両側において、二つの棒７ａ，７ｂが中央で枢支されたパンタグラフ７により天袋１に対して昇降自在に取り付けられている。また、吊り棚２の両側面には前後方向に延びるスリット９が形成されている。
【０００５】
パンタグラフ７を構成する一方の棒７ａの上端は取り付け板４のスリット８に摺動自在に取り付けられ、下端は吊り棚２に対して回動自在に取り付けられている。また、パンタグラフ７を構成する他方の棒７ｂの上端は取り付け板４に対して回動自在に取り付けられ、下端はスリット９に摺動自在に取り付けられている。このため、パンタグラフ７の伸縮に伴い、吊り棚２は天袋１の下方において自在に昇降する。
【０００６】
使用時には、図５に示すように、パンタグラフ７を伸長させ、吊り棚２を最下位置まで降下させる。この状態において、吊り棚２には皿１１やコップ１２が乗せられる。
【０００７】
非使用時には、図６に示すように、パンタグラフ７を収縮させ、吊り棚２を最上位置まで、すなわち、天袋１の直下の位置まで上昇させ、その位置にとどめておく。
【考案の開示】
【考案が解決しようとする課題】
【０００８】
図５及び図６に示した従来の吊り棚ユニットにおける吊り棚２はパンタグラフ７を使用して昇降を行うものであるため、吊り棚２が停止し得る位置は図５に示す最下位置と図６に示す最上位置の二つだけである。すなわち、従来の吊り棚２は図５に示す最下位置と図６に示す最上位置の間の中間の位置において停止することができないものであった。このため、従来の吊り棚ユニットは使用時の利便性に欠けるという問題点を有していた。
【０００９】
さらに、従来の吊り棚ユニットは、吊り棚２が図６に示す最上位置にある場合、ユーザーは、前板３に遮られて、吊り棚２を引き出すことが困難であるという問題点も有していた。
【００１０】
本考案はこのような従来の吊り棚ユニットにおける問題点に鑑みてなされたものであり、最上位置及び最下位置のみならず、最下位置と最上位置の間の中間の位置においても停止可能である吊り棚ユニットを提供することを目的とする。
【００１１】
さらに、吊り棚が最上位置にある場合であっても、ユーザーが吊り棚を容易に引き出すことが可能な吊り棚ユニットを提供することを目的とする。
【課題を解決するための手段】
【００１２】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１３】
上記の目的を達成するため、本考案は、天袋（１０１）の下方に取り付けられ、上下方向に上下動可能な吊り棚（１１０）を備える吊り棚ユニット（１００）であって、前記吊り棚（１１０）ユニットは、吊り棚（１１０）と、第一部材（１２０）と、第二部材（１３０）と、支持部材（１４５）と、からなり、前記支持部材（１４５）は前記天袋（１０１）の下面に取り付けられ、前後方向に延びる相互に平行な一対のプレート（１０３）を備え、前記支持部材（１４５）には前後方向に延びる第一のスリット（１０４）が形成されており、前記吊り棚（１１０）の側面には前後方向に延びる第二のスリット（１１２）が形成されており、前記第一部材（１２０）は、その一端において、前記第一のスリット（１０４）の内部を摺動自在に移動し得るように前記支持部材（１４５）に取り付けられ、その他端において、前記吊り棚（１１０）に対して回動自在であるように前記吊り棚（１１０）に取り付けられ、前記第二部材（１３０）は、その一端において、前記第二のスリット（１１２）の内部を摺動自在に移動し得るように前記吊り棚（１１０）に取り付けられ、その他端において、前記支持部材（１４５）に対して回動自在であるように前記支持部材（１４５）に取り付けられている吊り棚（１１０）ユニットにおいて、前記吊り棚（１１０）ユニットはさらにラチェット（１４０）を備え、前記第二部材（１３０）は前記他端において前記ラチェット（１４０）を介して前記支持部材（１４５）に取り付けられており、前記ラチェット（１４０）は、前記吊り棚（１１０）が降下する場合には、前記第二部材（１３０）の回動を前記他端において停止させ、前記吊り棚（１１０）が上昇する場合には、前記第二部材（１３０）の回動を停止させないものであることを特徴とする吊り棚ユニット（１００）を提供する。
【００１４】
また、本考案は、天袋（１０１）の下方に取り付けられ、上下方向に上下動可能な吊り棚（１１０）を備える吊り棚ユニット（１００）であって、前記吊り棚（１１０）ユニットは、吊り棚（１１０）と、第一部材（１２０）と、第二部材（１３０）と、からなり、
前記天袋（１０１）には前後方向に延びる第一のスリット（１０４）が形成されており、前記吊り棚（１１０）の側面には前後方向に延びる第二のスリット（１１２）が形成されており、前記第一部材（１２０）は、その一端において、前記第一のスリット（１０４）の内部を摺動自在に移動し得るように前記天袋（１０１）に取り付けられ、その他端において、前記吊り棚（１１０）に対して回動自在であるように前記吊り棚（１１０）に取り付けられ、前記第二部材（１３０）は、その一端において、前記第二のスリット（１１２）の内部を摺動自在に移動し得るように前記吊り棚（１１０）に取り付けられ、その他端において、前記天袋（１０１）に対して回動自在であるように前記天袋（１０１）に取り付けられている吊り棚（１１０）ユニットにおいて、前記吊り棚（１１０）ユニットはさらにラチェット（１４０）を備え、前記第二部材（１３０）は前記他端において前記ラチェット（１４０）を介して前記天袋（１０１）に取り付けられており、前記ラチェット（１４０）は、前記吊り棚（１１０）が降下する場合には、前記第二部材（１３０）の回動を前記他端において停止させ、前記吊り棚（１１０）が上昇する場合には、前記第二部材（１３０）の回動を停止させないものであることを特徴とする吊り棚ユニット（１００）を提供する。
【００１５】
さらに、本考案は、天袋（１０１）の下方に取り付けられ、上下方向に上下動可能な吊り棚（１１０）を備える吊り棚ユニット（２００）であって、前記吊り棚（１１０）ユニットは、吊り棚（１１０）と、第一部材（１２０）と、第二部材（１３０）と、支持部材（１４５）と、からなり、前記支持部材（１４５）は前記天袋（１０１）の下面に取り付けられ、前後方向に延びる相互に平行な一対のプレート（１０３）からなり、前記支持部材（１４５）には前後方向に延びる第一のスリット（１０４）が形成されており、前記吊り棚（１１０）の側面には前後方向に延びる第二のスリット（１１２）が形成されており、前記第一部材（１２０）は、その一端において、前記第一のスリット（１０４）の内部を摺動自在に移動し得るように前記支持部材（１４５）に取り付けられ、その他端において、前記吊り棚（１１０）に対して回動自在であるように前記吊り棚（１１０）に取り付けられ、前記第二部材（１３０）は、その一端において、前記第二のスリット（１１２）の内部を摺動自在に移動し得るように前記吊り棚（１１０）に取り付けられ、その他端において、前記支持部材（１４５）に対して回動自在であるように前記支持部材（１４５）に取り付けられている吊り棚（１１０）ユニットにおいて、前記吊り棚（１１０）ユニットはさらにダンパー（１６０）を備え、前記第二部材（１３０）は前記他端において前記ダンパー（１６０）を介して前記支持部材（１４５）に取り付けられていることを特徴とする吊り棚ユニット（２００）を提供する。
【００１６】
さらに、本考案は、天袋（１０１）の下方に取り付けられ、上下方向に上下動可能な吊り棚（１１０）を備える吊り棚（１１０）ユニットであって、前記吊り棚（１１０）ユニットは、吊り棚（１１０）と、第一部材（１２０）と、第二部材（１３０）と、からなり、前記天袋（１０１）には前後方向に延びる第一のスリット（１０４）が形成されており、前記吊り棚（１１０）の側面には前後方向に延びる第二のスリット（１０４）が形成されており、前記第一部材（１２０）は、その一端において、前記第一のスリット（１０４）の内部を摺動自在に移動し得るように前記天袋（１０１）に取り付けられ、その他端において、前記吊り棚（１１０）に対して回動自在であるように前記吊り棚（１１０）に取り付けられ、前記第二部材（１３０）は、その一端において、前記第二のスリット（１１２）の内部を摺動自在に移動し得るように前記吊り棚（１１０）に取り付けられ、その他端において、前記天袋（１０１）に対して回動自在であるように前記天袋（１０１）に取り付けられている吊り棚（１１０）ユニットにおいて、前記吊り棚（１１０）ユニットはさらにダンパー（１６０）を備え、前記第二部材（１３０）は前記他端において前記ダンパー（１６０）を介して前記天袋（１０１）に取り付けられていることを特徴とする吊り棚ユニット（２００）を提供する。
【００１７】
前記第一部材（１２０）は、前記一端が、前記吊り棚（１１０）がその最下位置にあるときに、前記第一のスリット（１０４）の前端に位置するように配置され、かつ、前記第二部材（１３０）は、前記一端が、前記吊り棚（１１０）がその最下位置にあるときに、前記第二のスリット（１１２）の前端に位置するように配置され、前記第一部材（１２０）の前記他端には前記吊り棚（１１０）の斜め後方に延びる延長部（１２３）が形成されており、前記延長部（１２３）には前記吊り棚（１１０）の長さ方向に延びる把っ手（１５０）が支持されていることが好ましい。
【考案の効果】
【００１８】
図５及び図６に示した従来の吊り棚ユニットにおける吊り棚２が停止し得る位置は図５に示す最下位置と図６に示す最上位置の二つだけであり、従来の吊り棚２は最下位置と最上位置の間の中間の位置において停止することができないものであった。
【００１９】
これに対して、本考案に係る吊り棚ユニットにおいては、吊り棚をラチェットを介して天袋に取り付けているため、吊り棚は、最上位置及び最下位置のみならず、最上位置及び最下位置との間の任意の中間位置においても、停止することができる。このため、本考案に係る吊り棚ユニットは、図５及び図６に示した従来の吊り棚ユニットと比較して、使用時の利便性を大きく向上させることができる。
【００２０】
また、従来の吊り棚ユニットにおいては、吊り棚２が図６に示す最上位置にある場合、ユーザーは、前板３に遮られて、吊り棚２を引き出すことが困難であった。
【００２１】
これに対して、本考案に係る吊り棚ユニットは把っ手を備えており、吊り棚が最上位置にある場合であっても、把っ手は吊り棚の下方に、すなわち、ユーザーが見える所に位置しているため、ユーザーは把っ手をつかんで直ちに吊り棚を引き下ろすことができる。
【考案を実施するための最良の形態】
【００２２】
（第一の実施形態）
図１は、本考案の第一の実施形態に係る吊り棚ユニット１００の斜視図である。
【００２３】
図２は、吊り棚ユニット１００の一構成要素である吊り棚１１０が最も下の位置まで降下した状態における側面図であり、図３は、吊り棚１１０が最も上の位置まで上昇した状態における側面図である。
【００２４】
本実施形態に係る吊り棚ユニット１００は、天袋１０１の下方に取り付けられ、吊り棚１１０と、第一部材１２０と、第二部材１３０と、ラチェット１４０と、支持部材１４５と、を備えている。
【００２５】
吊り棚ユニット１００はさらに把っ手１５０を備えている。把っ手１５０については、後に詳述する。
【００２６】
本明細書においては、ユーザーが立つ側（図１乃至３における右側）を「前方」、その反対側（図１乃至３における左側）を「後方」と呼ぶこととする。
【００２７】
支持部材１４５は天袋１０１の下面に取り付けられる。支持部材１４５は、前方に取り付けられた前板１０２と、前板１０２の左右両側において前後方向Ａに延びる相互に平行な一対のプレートからなる横板１０３と、後方において前板１０２と対向して天袋１０１の下面に取り付けられている後板１０５（図２及び図３参照）と、からなる。
【００２８】
すなわち、支持部材１４５は下面が開口する形状をなしており、吊り棚１１０が最上位置にあるときに、吊り棚１１０を収容する収容空間１０６（図２及び図３参照）を形成している。
【００２９】
横板１０３には前後方向Ａに延びる第一のスリット１０４が形成されている。
【００３０】
吊り棚１１０は板状の部材からなり、その左右両側の側面には取り付け板１１１が取り付けられており、取り付け板１１１には前後方向Ａに延びる第二のスリット１１２が形成されている。
【００３１】
第一部材１２０は細長い板状の部材からなり、その一端１２１において、第一のスリット１０４の内部を摺動自在に移動し得るように横板１０３に取り付けられ、さらに、その他端１２２において、吊り棚１１０に対して回動自在であるように吊り棚１１０に取り付けられている。
【００３２】
また、第二部材１３０は、第一部材１２０と同様に、細長い板状の部材からなり、その一端において、第二のスリット１１２の内部を摺動自在に移動し得るように取り付け板１１１に取り付けられ、さらに、その他端において、横板１０３に対して回動自在であるようにラチェット１４０を介して横板１０３に取り付けられている。
【００３３】
なお、第一部材１２０の他端１２２は第二のスリット１１２よりも前方に位置し、第二部材１３０の他端は第一のスリット１０４よりも前方に位置している。
【００３４】
換言すれば、第一部材１２０は、その一端１２１が、吊り棚１１０がその最下位置（図２参照）にあるときに、第一のスリット１０４の前端１０４Ｂに位置するように配置され、かつ、第二部材１３０は、その一端が、吊り棚１１０がその最下位置にあるときに、第二のスリット１１２の前端１１２Ｂ（図２参照）に位置するように配置されている。
【００３５】
すなわち、第一部材１２０及び第二部材１３０は第一のスリット１０４及び第二のスリット１１２よりもそれぞれ前方に配置されている。
【００３６】
吊り棚１１０は、第一部材１２０及び第二部材１３０がそれぞれの端部において第一のスリット１０４及び第二のスリット１１２を摺動することにより、上下動する。
【００３７】
すなわち、第一部材１２０の一端１２１が第一のスリット１０４の内部を後ろ方向Ｂに向かって摺動し、かつ、第二部材１３０の一端が第二のスリット１１２の内部を後ろ方向Ｂに向かって摺動する場合には、吊り棚１１０は図３に示す最上位置に向かって上昇する。また、第一部材１２０の一端１２１が第一のスリット１０４の内部を前方向Ｃに向かって摺動し、かつ、第二部材１３０の一端が第二のスリット１１２の内部を前方向Ｃに向かって摺動する場合には、吊り棚１１０は図２に示す最下位置に向かって下降する。
【００３８】
なお、第一部材１２０の一端１２１が第一のスリット１０４の後端１０４Ａまで到達し、かつ、第二部材１３０の一端が第二のスリット１１２の後端１１２Ａまで到達したときに、吊り棚１１０は図３に示す最上位置まで上昇する。それとは逆に、第一部材１２０の一端１２１が第一のスリット１０４の前端１０４Ｂ（図２参照）まで到達し、かつ、第二部材１３０の一端が第二のスリット１１２の前端１１２Ｂ（図２参照）まで到達したときに、吊り棚１１０は図２に示す最下位置まで下降する。
【００３９】
ラチェット１４０は一般に用いられる通常のラチェットである。すなわち、ラチェット１４０は、外周に歯が形成された回転子と、回転子に形成された歯に係合するストッパとから構成されており、ストッパは、回転子が一の方向（例えば、時計方向）に回転する場合には歯に係合し、回転子の回転を停止させるが、回転子が他の方向（例えば、反時計方向）に回転する場合には歯には係合せず、回転子の回転を停止することなく、回転子を回転させる。
【００４０】
本実施形態におけるラチェット１４０の回転子は第二部材１３０と接続されている。
【００４１】
このため、吊り棚１１０が降下する場合、すなわち、回転子が一の方向（例えば、時計方向）に回転する場合には、ストッパが回転子の歯と係合し、第二部材１３０の他端における回動を停止させる。
【００４２】
これに対して、吊り棚１１０が上昇する場合、すなわち、回転子が他の方向（例えば、反時計方向）に回転する場合には、ストッパは回転子の歯とは係合せず、第二部材１３０の他端における回動を停止させることはなく、従って、第二部材１３０は他端における回動を継続する。すなわち、吊り棚１１０は上昇を継続する。
【００４３】
以上のような構造を有する本実施形態に係る吊り棚ユニット１００は以下のように作動する。
【００４４】
非使用時においては、図３に示すように、吊り棚１１０はその最上位置にあり、吊り棚１１０は収容空間１０６に収容されている。
【００４５】
使用時においては、吊り棚１１０を持って下方に引くことにより、吊り棚１１０は下降を開始する。ただし、ラチェット１４０は、吊り棚１１０が降下する場合、ストッパが回転子の歯と係合し、第二部材１３０の他端における回動を停止させるように構成されている。このため、吊り棚１１０を一旦上昇させ、ラチェット１４０の内部の回転子とストッパとの係合を解除したうえで、吊り棚１１０を下方に引く。これにより、吊り棚１１０は下降する。
【００４６】
吊り棚１１０は図２に示す最下位置まで下降することができる。
【００４７】
吊り棚１１０は、図３に示す最上位置と図２に示す最下位置との間の任意の位置において、停止させることが可能である。例えば、吊り棚１１０を図３に示す最上位置から引き下ろす際に、所望の高さにおいて、吊り棚１１０を停止させる。ラチェット１４０は、吊り棚１１０が降下する場合に、ストッパが回転子の歯と係合し、第二部材１３０の他端における回動を停止させるように構成されているので、吊り棚１１０はその高さにおいて停止することとなる。
【００４８】
図２に示す最下位置にある吊り棚１１０は、単に、吊り棚１１０を持って引き上げることにより、図３に示す最上位置まで上昇させることもできる。
【００４９】
この場合も、図３に示す最上位置と図２に示す最下位置との間の任意の位置において、吊り棚１１０を停止させることが可能である。
【００５０】
図５及び図６に示した従来の吊り棚ユニットにおける吊り棚２が停止し得る位置は図５に示す最下位置と図６に示す最上位置の二つだけであり、従来の吊り棚２は最下位置と最上位置の間の中間の位置において停止することができないものであった。
【００５１】
これに対して、本実施形態に係る吊り棚ユニット１００においては、吊り棚１１０をラチェット１４０を介して支持部材１４５（正確には、支持部材１４５を構成する横板１０３）に取り付けているため、吊り棚１１０は、図３に示す最上位置及び図２に示す最下位置のみならず、最上位置及び最下位置との間の任意の中間位置においても、停止することが可能である。このため、本実施形態に係る吊り棚ユニット１００は、図５及び図６に示した従来の吊り棚ユニットと比較して、使用時の利便性を大きく向上させることができる。
【００５２】
前述したように、本実施形態に係る吊り棚ユニット１００は把っ手１５０を備えている。
【００５３】
図１に示すように、一対の第一部材１２０の各々はその他端１２２（図１では下端）から斜め後方に延びる延長部１２３を有している。
【００５４】
把っ手１５０は棒状の部材からなり、一対の第一部材１２０の各々の延長部１２３において両端を支持されている。すなわち、把っ手１５０は、吊り棚１１０の下方かつ吊り棚１１０の前端よりも後側において、換言すれば、吊り棚１１０の前端の斜め後方において、吊り棚１１０の長さ方向に延びている。
【００５５】
ユーザーは、吊り棚１１０を上下動させる際に、把っ手１５０を持って、吊り棚１１０を上下動させることができるため、吊り棚１１０を直接手で持って吊り棚１１０を上下動させることと比較して、より容易に吊り棚１１０を上下動させることができる。
【００５６】
把っ手１５０は吊り棚１１０が図３に示す最上位置にあるときに特に有効である。
【００５７】
従来の吊り棚ユニットにおいては、吊り棚２が図６に示す最上位置にある場合、ユーザーは、前板３に遮られて、吊り棚２を引き出すことが困難であった。
【００５８】
これに対して、本実施形態に係る吊り棚ユニット１００においては、吊り棚１１０が図３に示す最上位置にある場合、図３に示すように、把っ手１５０は前板１０２の下方に位置しているため、ユーザーは把っ手１５０をつかんで直ちに吊り棚１１０を引き下ろすことができる。
【００５９】
図５及び図６に示した従来の吊り棚ユニットにおいて上記のような把っ手１５０を取り付けたとしても、従来の吊り棚ユニットにおいてはパンタグラフ７が後方に配置されているため、把っ手１５０を引く力はモーメントとしてパンタグラフ７に作用することになるため、把っ手１５０を引いても、吊り棚２を引き出すことはできないものであった。
【００６０】
これに対して、本実施形態に係る吊り棚ユニット１００においては、第一部材１２０及び第二部材１３０は前方に配置されているため、把っ手１５０を引く力は直接的に第一部材１２０及び第二部材１３０に作用することになる。このため、把っ手１５０を引くことにより、吊り棚１１０を円滑に下降させることができる。
【００６１】
なお、本実施形態に係る吊り棚ユニット１００においては、支持部材１４５を天袋１０１の下面に取り付ける構成としたが、支持部材１４５を設けることは必ずしも必要ではない。例えば、支持部材１４５を設けることなく、天袋１０１に第一のスリット１０４を直接形成し、第二部材１３０の他端を天袋１０１にラチェット１４０を介して直接取り付けてもよい。
【００６２】
（第二の実施形態）
図４は、本考案の第二の実施形態に係る吊り棚ユニット２００の部分的な拡大図である。
【００６３】
本実施形態に係る吊り棚ユニット２００においては、第一の実施形態に係る吊り棚ユニット１００におけるラチェット１４０に代えて、油圧式減速機構の一つであるダンパー１６０を備えている。本実施形態に係る吊り棚ユニット２００は、ラチェット１４０に代えてダンパー１６０を備えている点を除いて、第一の実施形態に係る吊り棚ユニット１００と同一の構造を有している。
【００６４】
ダンパー１６０はその一端１６１において第二部材１３０と回動可能に取り付けられており、さらに、他端１６２において横板１０３と回動可能に取り付けられている。
【００６５】
このように、ラチェット１４０に代えてダンパー１６０を用いることによっても、第一の実施形態に係る吊り棚ユニット１００と同様の効果を得ることができる。
【００６６】
なお、本実施形態に係る吊り棚ユニット２００においては、ダンパー１６０の性質上、吊り棚１１０がその最上位置（図３参照）に維持されないことがある。このため、例えば、吊り棚１１０の上面及び天袋１０１の下面にそれぞれ磁石を取り付けることにより、吊り棚１１０をその最上位置に維持することができる。
【図面の簡単な説明】
【００６７】
【図１】本考案の第一の実施形態に係る吊り棚ユニットの斜視図である。
【図２】本考案の第一の実施形態に係る吊り棚ユニットにおいて、吊り棚が最も下の位置まで降下した状態における側面図である。
【図３】本考案の第一の実施形態に係る吊り棚ユニットにおいて、吊り棚が最も上の位置まで上昇した状態における側面図である。
【図４】本考案の第二の実施形態に係る吊り棚ユニットの部分的な拡大図である。
【図５】従来の吊り棚ユニットにおける吊り棚を最下位置まで降下させた場合の側面図である。
【図６】従来の吊り棚ユニットにおける吊り棚を最上位置まで上昇させた場合の側面図である。
【符号の説明】
【００６８】
１００  本考案の第一の実施形態に係る吊り棚ユニット
１０１  天袋
１０２  前板
１０３  横板
１０４  第一のスリット
１０５  後板
１０６  収容空間
１１０  吊り棚
１１１  取り付け板
１１２  第二のスリット
１２０  第一部材
１２３  延長部
１３０  第二部材
１４０  ラチェット
１４５  支持部材
１５０  把っ手
２００  本考案の第二の実施形態に係る吊り棚ユニット
１６０  ダンパー
【図１】
0003119265.tif 000003
【図２】
0003119265.tif 000004
【図３】
0003119265.tif 000005
【図４】
0003119265.tif 000006
【図５】
0003119265.tif 000007
【図６】
0003119265.tif 000008